(57)【要約】【目的】所望の注文先にプリント注文する。【構成】サーバとアクセス可能なクライアント・コンピュータにおいて，プリント注文プログラムを起動させサービス選択ウインドウを表示させる。サービス選択ウインドウにおいて，プリント注文サイト指定領域がクリックされることにより，検索条件入力ウインドウＷ２がクライアント・コンピュータの表示装置に表示される。ウインドウＷ２には，検索条件入力領域２２が形成されている。ユーザによって所望のプリント条件が領域２２に入力され，サーバに送信される。サーバにおいて，入力されたプリント条件に合致するプリント注文先情報が見つけられる。見つけられたプリント注文先情報がクライアント・コンピュータに送信される。プリント注文先情報にしたがったプリント先にプリント注文することができるようになる。【選択図】　　図４
2004013702.tif 000002
【特許請求の範囲】
【請求項１】
プリントの注文先を決定する条件を入力するプリント注文先条件入力画像を表示装置に表示させ，
上記プリント注文先条件入力画像にもとづいて入力されたプリント注文先条件を表すデータをサーバ宛に送信させ，
上記プリント注文先条件データにもとづいて，上記サーバにおいて見つけられ，かつ上記サーバから送信されるプリント注文先についての第１の注文先データを受信させ，
受信した上記第１の注文先データを，プリント注文プログラムに関連づけて記憶させるようにコンピュータを制御するプリント注文プログラム。
【請求項２】
注文指令を入力させ，
入力された注文指令に応答して，受信した第１の注文先データによって特定される第１の注文先のウェブ・ページにアクセスさせるものである請求項１に記載のコンピュータを制御するプリント注文プログラム。
【請求項３】
上記注文先データによって表される第１の注文先が複数の場合に，その複数の注文先を上記表示装置に表示させ，
複数の第１の注文先の中から少なくとも１つの注文先を選択させ，
選択された注文先を示すデータを上記サーバ宛に送信させ，
上記サーバ宛に上記選択された送信先を示すデータを送信したことに応じて上記サーバから送信される注文先データを受信させる，請求項１に記載のコンピュータを制御するプリント注文プログラム。
【請求項４】
上記注文指令に応答して，上記プリント注文先条件を表すデータを上記サーバに再び送信させ，
上記プリント注文先条件データの再送信にもとづいて，上記サーバにおいて上記再送信にもとづいて新しく見つけられ，かつ上記サーバから送信されるプリント注文先についての第２の注文先データを受信させ，
受信した上記第１の注文先データによって表される第１の注文先および受信した上記第２の注文先データによって表される第２の注文先を上記表示装置に表示させ，
上記第１の注文先および上記第２の送信先の中から少なくとも１つの注文先を選択させ，
選択された注文先を示すデータを上記サーバ宛に送信させ，
上記サーバ宛に上記選択された送信先を示すデータを送信したことに応じて上記サーバから送信される注文先データを受信させるものである，
請求項１に記載のコンピュータを制御するプリント注文プログラム。
【請求項５】
クライアント・コンピュータから送信されたプリント注文先条件データを受信する受信手段，
プリント注文先情報が格納されたデータベースの中から，上記受信手段によって受信されたプリント注文先条件データにもとづいて，プリント注文先を見つける検索手段，および
上記検索手段により見つけられたプリント注文先を上記クライアント・コンピュータの表示装置に表示させるように注文先データを上記クライアント・コンピュータに送信する送信手段，
を備えたセンタ・サーバ。
【発明の詳細な説明】
【０００１】
【技術分野】
この発明は，プリント注文プログラムおよびセンタ・サーバに関する。
【０００２】
【発明の背景】
インターネットを利用して，画像ファイルと注文内容を格納した注文ファイルとをサーバに送信することにより，プリント注文できるようになってきている。プリント注文するためには，プリント注文プログラムがクライアント・コンピュータにインストールされる。
【０００３】
プリント注文プログラムを利用したプリント注文は，そのプリント注文プログラムによって規定されている注文先にしかできないことが多い。
【０００４】
【発明の開示】
この発明は，所望の注文先にプリント注文できるようにすることを目的とする。
【０００５】
この発明によるプリント注文プログラムは，プリントの注文先を決定する条件を入力するプリント注文先条件入力画像を表示装置に表示させ，上記プリント注文先条件入力画像にもとづいて入力されたプリント注文先条件を表すデータをサーバ宛に送信させ，上記プリント注文先条件データにもとづいて，上記サーバにおいて見つけられ，かつ上記サーバから送信されるプリント注文先についての第１の注文先データを受信させ，受信した上記第１の注文先データを，プリント注文プログラムに関連づけて記憶させるようにコンピュータを制御するものである。
【０００６】
上記プリント注文プログラムにもとづくコンピュータを提供するようにしてもよい。すなわち，そのようなコンピュータは，プリントの注文先を決定する条件を入力するプリント注文先条件入力画像を表示するように表示装置を制御する表示制御手段，上記表示制御手段に制御のもとに上記表示装置に表示された上記プリント注文先条件入力画像にもとづいてプリント注文先条件データを入力する入力手段，上記入力手段から入力されたプリント注文先条件を表すデータをサーバ宛に送信する送信手段，および上記送信手段によって送信されたプリント注文先条件を表す上記プリント注文先条件データにもとづいて，上記サーバにおいて見つけられ，かつ上記サーバから送信されるプリント注文先についての第１の注文先データを受信する受信手段を備えていることを特徴とする。
【０００７】
上記コンピュータに適した動作制御方法を提供するようにしてもよい。すなわち，この方法は，プリントの注文先を決定する条件を入力するプリント注文先条件入力画像を表示装置に表示し，上記プリント注文先条件入力画像にもとづいてプリント注文先条件を入力し，入力されたプリント注文先条件を表すデータをサーバに送信し，上記プリント注文先条件データにもとづいて，上記サーバにおいて見つけられ，かつ上記サーバから送信されるプリント注文先についての第１の注文先データを受信するものである。
【０００８】
上記プログラムを格納した記録媒体を提供するようにしてもよい。
【０００９】
このようなプログラムがインストールされているコンピュータと通信するサーバは，クライアント・コンピュータから送信されたプリント注文先条件データを受信する受信手段，プリント注文先情報が格納されたデータベースの中から，上記受信手段によって受信されたプリント注文先条件データにもとづいて，プリント注文先を見つける検索手段，および上記検索手段により見つけられたプリント注文先を上記クライアント・コンピュータの表示装置に表示させるように注文先データを上記クライアント・コンピュータに送信する送信手段を備えていることを特徴とする。
【００１０】
この発明によると，サーバと通信するコンピュータの表示装置にプリントの注文先を決定する条件を入力するプリント注文先条件入力画像が表示される。プリント注文先条件入力画像にもとづいて入力されたプリント注文先条件を表すデータがコンピュータからサーバに送信される。
【００１１】
プリント注文先条件を表すデータがサーバにおいて受信されると，サーバにおいて，プリント注文先条件にもとづいてプリント注文先情報が格納されているデータベースが検索される。検索により，プリント注文条件に合致するプリント注文先が見つけられる。見つけられたプリント注文先についての第１の注文先データがサーバからコンピュータに送信される。
【００１２】
サーバから送信された第１の注文先データがコンピュータにおいて受信される。コンピュータのユーザは，第１の注文先データからプリント注文条件に合致する注文先を知ることができる。プリント注文条件に合致した注文先にプリント注文することができるようになる。
【００１３】
さらに，注文指令を入力させ，入力された注文指令に応答して，受信した第１の注文先データによって特定される第１の注文先のウェブ・ページにアクセスさせるものとしてもよい。
【００１４】
プリント注文条件に合致した注文先にプリント注文できる。
【００１５】
さらに，上記注文先データによって表される第１の注文先が複数の場合に，その複数の注文先を上記表示装置に表示させ，複数の第１の注文先の中から少なくとも１つの注文先を選択させ，選択された注文先を示すデータを上記サーバ宛に送信させ，上記サーバ宛に上記選択された送信先を示すデータを送信したことに応じて上記サーバから送信される注文先データを受信させるようにしてもよい。
【００１６】
さらに，上記注文指令に応答して，上記プリント注文先条件を表すデータを上記サーバに再び送信させ，上記プリント注文先条件データの再送信にもとづいて，上記サーバにおいて上記再送信にもとづいて新しく見つけられ，かつ上記サーバから送信されるプリント注文先についての第２の注文先データを受信させ，受信した上記第１の注文先データによって表される第１の注文先および受信した上記第２の注文先データによって表される第２の注文先を上記表示装置に表示させ，上記第１の注文先および上記第２の送信先の中から少なくとも１つの注文先を選択させ，選択された注文先を示すデータを上記サーバ宛に送信させ，上記サーバ宛に上記選択された送信先を示すデータを送信したことに応じて上記サーバから送信される注文先データを受信させるようにしてもよい。
【００１７】
サーバのデータベースに格納されているプリント注文先情報が更新されている場合には，新たな注文先データをサーバからコンピュータに送信することとなる。コンピュータのユーザは，すでに受信した注文先データによって表される第１の注文先のほかに新たな注文先データによって表される第２の注文先にプリント注文することができるようになる。
【００１８】
【実施例の説明】
図１は，この発明の実施例を示すもので，プリント注文システムの概要を示している。
【００１９】
クライアント・コンピュータ１とサーバ３とがインターネットにより互いに通信可能である。
【００２０】
クライアント・コンピュータ１には，表示装置２が接続されている。プリント注文プログラムが格納されているＣＤ−ＲＯＭ（コンパクト・ディスク−リード・オンリ・メモリ）がクライアント・コンピュータ１にインストールされることにより，後述する動作が行われる。クライアント・コンピュータ１には，ＣＰＵ，メモリ，ＣＤ−ＲＯＭドライブおよびキーボード，マウスなどの入力装置も含まれている。
【００２１】
サーバ３のハードディスクの所定の領域には，プリントを注文するサイトのウェブ・ページを表示するためのデータが多数格納されている。サーバ３には，注文先の情報を格納しているデータベース４が接続されている。サーバ３にもＣＰＵ，メモリ，ＣＤ−ＲＯＭドライブならびにキーボード，マウスなどの入力装置が含まれている。
【００２２】
この実施例においては，プリント注文を受け付ける受付先のうち，クライアント・コンピュータ１のユーザが所望の条件を入力し，入力した所望の条件に適した受付先ウェブ・ページを見つけ，その見つけられたウェブ・ページを利用してプリント注文することができる。
【００２３】
図２（Ａ）から（Ｃ）は，データベース４に格納されている注文先情報の一例である。
【００２４】
（Ａ）は，サイト情報テーブルの一例である。
【００２５】
サイト情報テーブルには，注文先ＩＤ，注文先，宅配の有無，決済方法，注文先のＵＲＬおよびコメントが格納されている。
【００２６】
（Ｂ）は，店舗情報テーブルの一例である。
【００２７】
添付情報テーブルには，注文先ＩＤ，店舗ＩＤ，店舗名，店舗の郵便番号および店舗の住所が格納されている。
【００２８】
（Ｃ）は，サービス情報テーブルの一例である。
【００２９】
サービス情報テーブルには，注文先ＩＤ，店舗ＩＤ，サービス名，サービスの内容，プリント注文に際して発生する基本料金，単価および納期が格納されている。
【００３０】
（Ａ）〜（Ｃ）のテーブルに格納されている情報が注文先情報である。
【００３１】
図３から図７は，クライアント・コンピュータ１に接続されている表示装置２に表示されている表示画面に表示されるウインドウの一例である。図８および図９は，クライアント・コンピュータ１とサーバ３との間で行われる注文先情報の取得処理を示すフローチャートである。
【００３２】
クライアント・コンピュータ１においてプリント注文プログラムが起動させられると，表示装置２の表示画面には図３に示す注文選択ウインドウＷ１が表示される（ステップ５１）。プリント注文選択ウインドウＷ１には，次の各領域が含まれている。
【００３３】
プリント注文先指定領域１１：
検索条件等を入力し，入力した検索条件等に合致するプリント注文先を探すときにクライアント・コンピュータ１のユーザによってクリックされる領域である。
【００３４】
ソフトウエア・アップデート領域１２：
プリント注文プログラムをアップデートするときにクライアント・コンピュータ１のユーザによってクリックされる領域である。
【００３５】
デジカメ・プリント領域１３：
画像データを送信して，その画像データによって表される画像をプリントするときにクライアント・コンピュータ１のユーザによってクリックされる領域である。
【００３６】
ポストカード領域１４：
画像データを送信して，その画像データによって表される画像をポストカードにプリントするときにクライアント・コンピュータ１のユーザによってクリックされる領域である。
【００３７】
ネット・アルバム領域１５：
画像データをサーバ３にアップロードして，そのアップロードした画像データによって表される画像を公開するときにクライアント・コンピュータ１のユーザによってクリックされる領域である。
【００３８】
ネット・サービス・サイト領域１６：
あらかじめ定められている注文先に接続するときにクライアント・コンピュータ１のユーザによってクリックされる領域である。
【００３９】
終了領域１７：
プリント注文プログラムを終了するときにクライアント・コンピュータ１のユーザによってクリックされる領域である。
【００４０】
ヘルプ領域１８：
操作がわからなくなったときにクライアント・コンピュータ１のユーザによってクリックされる領域である。
【００４１】
注文先情報をクライアント・コンピュータ１に取得させるときには，クライアント・コンピュータ１のユーザによってプリント注文先指定領域１１がクリックされる（ステップ５２でＹＥＳ）。すると，表示装置２の表示画面にはユーザ情報登録ウインドウ（図示略）が表示される（ステップ５３）。ユーザ情報登録ウインドウを用いて，クライアント・コンピュータ１のユーザの住所，電話番号，電子メール・アドレスなどのユーザ情報が入力される（ステップ５４）。ユーザ情報が入力されると，表示装置２の表示画面には図４に示す検索条件入力ウインドウＷ２が表示される（ステップ５５）。検索条件入力ウインドウＷ２には，次の各領域が含まれている。
【００４２】
戻る領域２１：
一つ前のウインドウに戻るときにクライアント・コンピュータ１のユーザによってクリックされる領域である。
【００４３】
検索条件入力領域２２：
プリント注文先を見つけるための検索条件を入力する領域である。プルダウンすることにより種々の検索条件が現れる。現れた検索条件の中から所望の検索条件が選択される。５つの領域が形成されており，複数の検索条件を入力することができる。
【００４４】
重み付け領域２３：
検索条件入力領域２２に入力された検索条件の重み付けを入力する領域である。プルダウンすることにより，重み付けを規定する数値が現れる。現れた数値の中から重み付けの値が選択される。
【００４５】
検索開始領域２４：
検索条件に合致したプリント注文先の検索を開始するときにクライアント・コンピュータ１のユーザによってクリックされる領域である。
【００４６】
検索条件入力領域２２に検索条件が入力され，かつ必要であれば重み付け領域２３に重み付けが入力される（ステップ５６）。入力された検索条件および重み付けの値をそれぞれ表すデータは，クライアント・コンピュータ１からサーバ３に送信される（ステップ５７）。
【００４７】
サーバ３において，クライアント・コンピュータ１から送信された検索条件および重み付けの値をそれぞれ表すデータが受信される（ステップ７１）。すると，データベース４に格納されている注文先情報の中から，受信した検索条件に合致する注文先情報が重み付けに応じて検索される（ステップ７２）。検索条件に合致する注文先情報が見つからなければ（ステップ７３でＮＯ），検索条件の範囲が広げられ（ステップ７４），再度検索が行われる。
【００４８】
検索条件に合致する注文先情報が見つかると（ステップ７３でＹＥＳ），見つけられた注文情報のうちコメントを示す情報が注文先名とともにクライアント・コンピュータ１に送信される（ステップ７５）。
【００４９】
サーバ３から送信されたコメント等を示す情報がクライアント・コンピュータ１において受信されると，クライアント・コンピュータ１の表示装置２の表示画面には図５に示すように注文先情報ウインドウＷ３が表示される（ステップ５８）。注文先情報ウインドウＷ３には，次に示す領域が含まれている。
【００５０】
注文先決定領域３１，３４，３７：
サーバ３における検索により見つけられた注文先名が表示されている。また，表示されている注文先名の注文先にプリント注文するときに，クライアント・コンピュータ１のユーザによってクリックされる。
【００５１】
コメント領域３２，３５，３８：
注文先情報に含まれているコメントが表示される領域である。注文先に対応してコメントが表示される。
【００５２】
詳細領域３３，３６，３９：
注文先決定領域３１，３４および３７に対応して設けられている。注文先情報の詳細が知りたいときにクライアント・コンピュータ１のユーザによってクリックされる。
【００５３】
詳細領域３３，３６または３９がクリックされると（ステップ５９でＹＥＳ），クリックされた領域によって特定される注文先の詳細情報（図２（Ａ）〜（Ｃ）に示すテーブルに格納されている情報のうち要求された注文先についてのすべての情報）の要求を示すデータがクライアント・コンピュータ１からサーバ３に送信される（ステップ６０）。
【００５４】
クライアント・コンピュータ１から送信された詳細情報要求データがサーバ３において受信されると（ステップ７６でＹＥＳ），検索により見つけられた注文先情報がクライアント・コンピュータ１に送信される（ステップ７７）。
【００５５】
サーバ３から送信された注文先情報がクライアント・コンピュータ１において受信されると，表示装置２の表示画面には図６に示す注文先情報ウインドウＷ４が表示される（ステップ６１）。注文先情報ウインドウＷ４には，サーバ３におけるデータベース４の検索により見つけられた注文先サイト情報が表示される。この注文先情報を見て，対応する注文先においてどのようなサービスが可能かどうかを確認することができる。注文先情報ウインドウＷ４の右下には閉じる領域４０が形成されている。この閉じる領域４０がクリックされることにより，注文先情報ウインドウＷ４が閉じることとなる。
【００５６】
注文先情報，コメントなどを見て，注文先がクライアント・コンピュータ１のユーザによって決定される。図５に示す注文先情報ウインドウＷ３の中の注文先決定領域３１，３４または３７の中から，決定された注文先に対応する領域が，クライアント・コンピュータ１のユーザによってクリックされる（ステップ６２でＹＥＳ）。すると，表示装置２の表示画面には図７に示すプリント注文先確認ウインドウＷ５が表示される（ステップ６３）。プリント注文先確認ウインドウＷ５には次の各領域が含まれている。
【００５７】
サービス内容確認領域４１：
選択されたプリント注文先の単価などのサービス内容を表示する領域である。
【００５８】
戻る領域４２：
前のウインドウに戻るときにクライアント・コンピュータ１のユーザによってクリックされる領域である。
【００５９】
ＯＫ領域４３：
選択されたプリント注文先に決定するときにクライアント・コンピュータ１のユーザによってクリックされる領域である。
【００６０】
クライアント・コンピュータ１のユーザによってＯＫ領域４３がクリックされると（ステップ６４でＹＥＳ），選択された注文先情報が決定され，クライアント・コンピュータ１のメモリの所定の領域にプリント注文プログラムにリンクされて記憶される（ステップ６５）。
【００６１】
図１０および図１１は，クライアント・コンピュータ１の表示装置２の表示画面に表示されるウインドウの一例である。図１２および図１３は，上述のようにして決定されたプリント注文先に画像プリント注文する処理手順を示すフローチャートである。
【００６２】
まず，プリント注文プログラムが起動させられ，上述のようにクライアント・コンピュータ１の表示装置２の表示画面には図３に示す注文選択ウインドウＷ１が表示させられる（ステップ１１１　）。注文選択ウインドウＷ１のうち，デジカメ・プリント領域１３がユーザによってクリックされたものとする（ステップ１１２　でＹＥＳ）。すると，表示装置２の表示画面には図１０に示す注文内容入力ウインドウＷ６が表示される（ステップ１１３　）。注文内容入力ウインドウＷ６には，次に示す領域が含まれている。
【００６３】
プリント・プレビュー領域８１：
クリックされることにより，選択されている画像が大きく表示され，プリントすべき領域を指定できるようになる。
【００６４】
一括入力領域８２：
所定のフォルダに格納されているファイルによって表される画像のプリント・サイズおよび枚数を一括して設定するときにクライアント・コンピュータ１のユーザによってクリックされる領域である。
【００６５】
選択解除領域８３：
プリントすべきものとして選択された画像を解除するときにクライアント・コンピュータ１のユーザによってクリックされる領域である。
【００６６】
注文内容表示領域８４：
クライアント・コンピュータ１のユーザによって入力された注文内容（選択さ駒数，選択された枚数）を表示する領域である。
【００６７】
サービス内容表示領域８５：
ユーザによって選択されたプリント注文先のサービス内容が表示される領域である。基本料金，プリント料金，合計金額などが表示される。
【００６８】
通信情報表示領域８６：
サーバ３との通信に関する情報が表示される。注文された画像を表す画像データの容量およびアップロードの必要な予測時間が表示される。
【００６９】
注文画像選択領域８７：
プリント注文する画像を選択するための領域である。注文画像選択領域８７には，サムネイル画像表示領域８８，プリント・サイズ選択領域８９および枚数選択領域９０が含まれている。プリント・サイズ選択領域８９および枚数選択領域９０をプルダウンすることにより，プリント・サイズおよびプリント枚数を選択することができる。
【００７０】
終了領域９１：
プリント注文プログラムを終了するときにクライアント・コンピュータ１のユーザによってクリックされる。
【００７１】
サービス選択画像に戻る領域９２：
図３に示すサービス選択画像に戻るときにクライアント・コンピュータ１のユーザによってクリックされる。
【００７２】
ヘルプ領域９３：
操作がわからなくなったときにユーザによってクリックされる。
【００７３】
注文領域９４：
入力された注文内容でプリント注文するときにクライアント・コンピュータ１のユーザによってクリックされる。
【００７４】
注文内容入力ウインドウＷ６を用いて上述のように，注文内容が入力される（ステップ１１４　）。入力された注文内容でよければ，クライアント・コンピュータ１のユーザによって注文領域９４がクリックされる（ステップ１１５　でＹＥＳ）。すると，プリント注文先を決定したときに使用された検索条件および重み付け条件ならびにそれらの検索条件および重み付け条件を得たときの日時をそれぞれ表すデータがクライアント・コンピュータ１からサーバ３に再度送信される（ステップ１１６　）。検索条件および重み付け条件は，プリント注文プログラムにリンクされてクライアント・コンピュータ１のメモリに記憶されているのはいうまでもない。
【００７５】
クライアント・コンピュータ１から送信された検索条件および重み付け条件ならびにそれらの条件を得たときの日時を表すデータが，サーバ３において受信される（ステップ１３１　）。それらの条件を得たときの日時以降にデータベース４に格納されている注文先情報が更新され，新しい注文先情報がデータベース４に格納されたかどうかが確認される（ステップ１３２　）。新しい注文先情報がデータベース４に格納されていると（ステップ１３２　でＹＥＳ），クライアント・コンピュータ１から送信された検索条件および重み付け条件にしたがって上述したように（図９ステップ７２から７７）データベース４の検索が行われ，検索条件および重み付け条件に合致した注文先情報が見つけられる（ステップ１３３　）。新しい注文先情報が無ければ（ステップ１３２　でＮＯ），ステップ１３３　の処理はスキップされる。
【００７６】
サーバ３における再度の検索により見つけられた注文先情報がクライアント・コンピュータ１において受信されると（ステップ１１８　でＹＥＳ），クライアント・コンピュータ１の表示装置２の表示画面には図１１に示す注文先変更ウインドウＷ７が表示される（ステップ１１９　）。注文先変更ウインドウＷ７には，次の領域が含まれている。
【００７７】
注文情報を見る領域１００：
新しく見つかったプリント注文先の情報を見るときに，クライアント・コンピュータ１のユーザによってクリックされる領域である。クリックされることにより，新しく見つかった注文先の情報を表示するウインドウが表示装置２の表示画面に表示される。新しく見つかった注文先の情報を確認できる。
【００７８】
変更する領域１０１：
決定していたプリント注文先を変更するときにクライアント・コンピュータ１のユーザによってクリックされる領域である。
【００７９】
変更しない領域１０２：
決定していたプリント注文先を変更しないときにクライアント・コンピュータ１のユーザによってクリックされる領域である。
【００８０】
そのほかに図１０に示すように注文内容入力ウインドウＷ６に含まれている終了する領域９１，サービス選択ウインドウ領域９２およびヘルプ領域９３も含まれている。
【００８１】
変更する領域１０１　がクリックされると（ステップ１２０　でＹＥＳ），新たな注文先情報がプリント注文プログラムにリンクされて新しく記憶される（ステップ１２１　）。変更しない領域１０２　がクリックされると（ステップ１２０　でＮＯ），ステップ１２１　の処理がスキップされる。
【００８２】
また，新しいプリント注文先情報が無く，プリント注文情報が再度受信されなければ（ステップ１１７　でＮＯ），ステップ１１８から１２１の処理はスキップされる。
【００８３】
その後，クライアント・コンピュータ１にインストールされているブラウザが起動させられ，クライアント・コンピュータ１に，プリント注文プログラムにリンクされて記憶されているプリント注文先情報の中のＵＲＬ（ｕｎｉｆｏｒｍ　ｒｅｓｏｕｒｃｅｌｏｃａｔｏｒ）をもつウェブ・ページにアクセスされる（ステップ１２２　）。すると，クライアント・コンピュータ１の表示装置２の表示画面には，決定したプリント注文先のウェブ・ページが表示される。注文内容入力ウインドウＷ６において入力された注文内容を表すデータがプリント注文先に送信される。その後，ウェブ・ページにもとづいて，クライアント・コンピュータ１のユーザの氏名などの入力が行われ，正式なプリント注文が行われる（ステップ１２３　）。
【００８４】
上述した実施例においては，注文内容入力ウインドウＷ６の注文領域９４がクリックされると，検索条件，重み付け条件等を表すデータがクライアント・コンピュータ１からサーバ３に送信され，必要に応じてサーバ３において再検索処理が行われているが，サーバ３における再検索処理を行わないようにしてもよい。
【００８５】
また，上述した実施例においては，検索条件のほかに重み付け条件をクライアント・コンピュータ１からサーバ３に送信しているが，重み付け条件を送信せずに検索条件をクライアント・コンピュータ１からサーバ３に送信するようにしてもよい。検索条件にもとづいてプリント注文先情報の検索処理がサーバ３において行われる。
【図面の簡単な説明】
【図１】プリント注文システムの概要を示すブロック図である。
【図２】（Ａ）から（Ｃ）は，データベースに格納されているプリント注文先情報のテーブルである。
【図３】クライアント・コンピュータの表示装置に表示されるウインドウの一例である。
【図４】クライアント・コンピュータの表示装置に表示されるウインドウの一例である。
【図５】クライアント・コンピュータの表示装置に表示されるウインドウの一例である。
【図６】クライアント・コンピュータの表示装置に表示されるウインドウの一例である。
【図７】クライアント・コンピュータの表示装置に表示されるウインドウの一例である。
【図８】プリント注文先情報を取得する処理手順の一部を示すフローチャートである。
【図９】プリント注文先情報を取得する処理手順の一部を示すフローチャートである。
【図１０】クライアント・コンピュータの表示装置に表示されるウインドウの一例である。
【図１１】クライアント・コンピュータの表示装置に表示されるウインドウの一例である。
【図１２】プリント注文処理を行うまでの処理手順の一部を示すフローチャートである。
【図１３】プリント注文処理を行うまでの処理手順の一部を示すフローチャートである。
【符号の説明】
１　クライアント・コンピュータ
２　表示装置
３　サーバ
４　データベース
２２　検索条件入力領域
Ｗ１〜Ｗ７　ウインドウ
【図１】
2004013702.tif 000003
【図２】
2004013702.tif 000004
【図３】
2004013702.tif 000005
【図４】
2004013702.tif 000006
【図５】
2004013702.tif 000007
【図６】
2004013702.tif 000008
【図７】
2004013702.tif 000009
【図８】
2004013702.tif 000010
【図９】
2004013702.tif 000011
【図１０】
2004013702.tif 000012
【図１１】
2004013702.tif 000013
【図１２】
2004013702.tif 000014
【図１３】
2004013702.tif 000015